(57)【要約】【課題】点灯時間の経過と共に照度が徐々に低下する照明器具を使用した場合であっても、初期照度補正が可能となる照明装置を提供し、省エネ及び必要照度の安定的な確保を図る。【解決手段】点灯時間の経過と共に照度が徐々に低下する照明器具をＳ台一組として複数組で配列してなる照明装置であって、照明器具の初期使用時には、各組で照明器具の点灯台数を必要最低照度の確保されるＳ−ｎ台とし、その後、各組でＳ−ｎ台で点灯させた照明器具の照度が必要最低照度まで低下する使用時間が経過した時点で、照明器具の点灯台数をＳ−ｎ台から１台ずつ順次増加するように、照明器具の使用時間に基づいて照明器具の点灯台数を自動で切替える切替え制御手段を備える。【選択図】図１
2007329139.tif 000002
【特許請求の範囲】
【請求項１】
点灯時間の経過と共に照度が徐々に低下する照明器具をＳ台一組として複数組で配列してなる照明装置であって、
前記照明器具の初期使用時には、各組で前記照明器具の点灯台数を必要最低照度の確保されるＳ−ｎ台とし、その後、各組で前記Ｓ−ｎ台で点灯させた前記照明器具の照度が必要最低照度まで低下する使用時間が経過した時点で、前記照明器具の点灯台数を前記Ｓ−ｎ台から１台ずつ順次増加するように、前記照明器具の使用時間に基づいて前記照明器具の点灯台数を自動で切替える切替え制御手段を備えることを特徴とする照明装置。
【請求項２】
前記Ｓ台の照明器具の内、消灯状態にある照明器具を順次交代させることを特徴とする請求項１記載の照明装置。
【請求項３】
前記Ｓ台の照明器具が４台であり、且つ該４台の照明器具が、直交する対角線上のそれぞれに、交点から等距離で一対ずつ配置されていることを特徴とする請求項１又は２記載の照明装置。
【請求項４】
前記照明器具としてメタルハライドランプを用いた
ことを特徴とする請求項１，２又は３記載の照明装置。
【発明の詳細な説明】
【技術分野】
【０００１】
本発明は、点灯時間の経過と共に照度が徐々に低下する照明器具を用いて、初期照度補正を可能にして眩しさの防止及び省エネを可能にする照明装置に関する。
【背景技術】
【０００２】
工場、倉庫、体育館等の高天井用照明器具として用いられる高圧放電灯（ＨＩＤ）には、水銀灯と同様に多用される発光効率の高いメタルハライドランプがある。このメタルハライドランプの発光効率は、水銀灯の１．６〜１．９倍であるため、同じ照度を確保する場合、イニシャルコスト及びライフサイクルコスト（ＬＣＣ）の観点から水銀灯より優れ、近年その使用が増加している。この種のメタルハライドランプは、工場等の高天井用照明器具として用いられる場合、ランプ交換時の光束減退時においても、必要照度が得られることを前提に、例えば縦横一定の間隔で複数のものが分散配置され、均等な配光分布が得られるように照明計画がなされていた。
【発明の開示】
【発明が解決しようとする課題】
【０００３】
しかしながら、メタルハライドランプは、発光効率が水銀灯の１．６〜１．９倍であるものの、ランプ交換時における光束減退時の照度／初期照度、即ち、保守率が、悪く、表１及び図８に示すように、保守率の悪いものでは、９０００時間の使用時間で、約５０％に光束が減退する。
【０００４】
【表１】
2007329139.tif 000003
【０００５】
このため、光束減退時の照度を基準に照明計画がなされた場合には、光束の減退していない初期使用状態においては初期照度が高くなりすぎ、照明が眩しく感じられる不都合が生じた。メタルハライドランプの場合には、インバータ方式による初期照度補正が採用できないため、このように初期照度が必要照度より高くなる分はエネルギーの無駄となった。また、初期照度が必要以上で点灯されることから、使用時間の経過と共に照度が徐々に低下すると、設定照度が確保されているにもかかわらず暗い感じをユーザーに与えてしまう不具合があった。
【０００６】
本発明は上記状況に鑑みてなされたもので、点灯時間の経過と共に照度が徐々に低下する照明器具を使用した場合であっても、初期照度補正が可能となる照明装置を提供し、もって、省エネ及び必要照度の安定的な確保を図ることを目的とする。
【課題を解決するための手段】
【０００７】
請求項１記載の照明装置は、点灯時間の経過と共に照度が徐々に低下する照明器具をＳ台一組として複数組で配列してなる照明装置であって、前記照明器具の初期使用時には、各組で前記照明器具の点灯台数を必要最低照度の確保されるＳ−ｎ台とし、その後、各組で前記Ｓ−ｎ台で点灯させた前記照明器具の照度が必要最低照度まで低下する使用時間が経過した時点で、前記照明器具の点灯台数を前記Ｓ−ｎ台から１台ずつ順次増加するように、前記照明器具の使用時間に基づいて前記照明器具の点灯台数を自動で切替える切替え制御手段を備えることを特徴とする。
【０００８】
この照明装置では、高い照度の確保される初期照度時には、Ｓ台一組の照明器具のうち同時点灯される照明器具が、必要最低照度の確保される数Ｓ−ｎ台まで減らして点灯される。従って、この状態では、従来、点灯されたｎ台の照明器具が消灯状態にあり、その分、過剰な照度が低減され、且つ省エネが図られる。Ｓ−ｎ台の照明器具の照度が点灯時間の経過と共に必要最低照度まで低下した時には、Ｓ−ｎ＋１台での点灯が行われ、必要最低照度が確保される。以降同様に、照明器具の照度が必要最低照度まで低下した時には、照明器具が順次１台毎にｎ台まで追加され、最終的にＳ台一組の全灯が点灯される。これにより、初期照度時にＳ台全灯が点灯されることによる眩しさや不必要な電力消費が防止され、且つ必要最低照度が常に確保（即ち、初期照度補正）される。
【０００９】
請求項２記載の照明装置は、請求項１記載の照明装置において、Ｓ台の照明器具の内、消灯状態にある照明器具を順次交代させることを特徴とする。
【００１０】
この照明装置では、Ｓ−ｎ台の照明器具が、Ｔ時間点灯されて必要最低照度まで照度が低下する間、Ｓ台の個々の照明器具の点灯時間が｛（Ｓ−ｎ）／Ｓ｝×Ｔとなるように、Ｓ台の照明器具の内、消灯状態にある照明器具が順次交代される。これにより、Ｓ台一組の照明器具のそれぞれが均等な点灯時間となる。例えば、４台一組の照明器具が、３台点灯されて照度が確保され、この状態でＴ＝２０００時間点灯されて必要最低照度まで照度が低下する場合、｛（４−１）／４｝×２０００＝１５００となり、一つの照明器具の点灯時間が１５００時間となるように、消灯状態にある照明器具が順次交代される。
【００１１】
請求項３記載の照明装置は、請求項１又は２記載の照明装置において、前記Ｓ台の照明器具が４台であり、且つ該４台の照明器具が、直交する対角線上のそれぞれに、交点から等距離で一対ずつ配置されていることを特徴とする。
【００１２】
この照明装置では、４台の照明器具が、直交する対角線上のそれぞれに、交点から等距離で一対ずつ配置される。つまり、４台の照明器具が、正方形のそれぞれの角部に配置される。そして、同様に配列された４台一組の照明器具が、縦横に連続して配列される。従って、消灯される照明器具の数ｎが１又は２の場合であっても、照明器具全体配列の中で、隣接する二つの照明器具が連続して消灯されることを回避することが可能になる。これにより、均等な配光分布が可能になる。
【発明の効果】
【００１３】
本発明に係る照明装置によれば、高い照度の確保される初期照度時にはＳ台一組の照明器具のうち同時点灯される照明器具を必要最低照度の確保される数Ｓ−ｎ台まで減らして点灯し、Ｓ−ｎ台の照明器具の照度が点灯時間の経過と共に必要最低照度まで低下した時にはＳ−ｎ＋１台での点灯を行って必要最低照度を確保し、以降同様に、照明器具の照度が必要最低照度まで低下した時には、照明器具を順次１台毎にｎ台まで追加して最終的にＳ台一組の全灯を点灯させるようにしたので、初期照度時にＳ台全灯が点灯されることによる眩しさや不必要な電力消費を防止し且つ必要最低照度を確保（即ち、初期照度補正）して、照明器具を高効率に点灯させることができる。
【発明を実施するための最良の形態】
【００１４】
以下、本発明に係る照明器具の点灯方法及び照明装置の好適な実施の形態を図面を参照して詳細に説明する。図１は本発明に係る照明装置の概略の構成を表すブロック図、図２は照明器具群の系統分け例を示すブロック図、図３は図２における系統分け例のローテーション切替え例及び段階切替え例を表す説明図、図４は図３に示したローテーション切替えの具体例を示すタイムチャートである。
【００１５】
本実施の形態による照明装置１には、点灯時間の経過と共に照度が徐々に低下するメタルハライドランプが照明器具３として使用される。照明器具３は、Ｓ台（本例では例えば４台）を一組として、複数組が縦横に等間隔に配列される。従って、天井面には、複数の照明器具３が、４の倍数台で縦横に配列される。
【００１６】
図２に示すように、各組共通の位置に配置された照明器具３ａ（３ｂ、３ｃ、又は３ｄ）同士は、一回路で接続されてＳ系統（本例では４系統）Ｖ、Ｗ、Ｘ、Ｙに系統分けされる。このように系統分けされた照明器具群のそれぞれの系統Ｖ、Ｗ、Ｘ、Ｙには、少なくともＳ台（本例では４台）の継電器（リモコンリレー）５ａ、５ｂ、５ｃ、５ｄが接続されている。なお、リモコンリレー５ａ、５ｂ、５ｃ、５ｄは、容量に応じ、一系統で複数に分割されるものであってもよい。これにより、例えば第一のリモコンリレー５ａがオン・オフされれば、各組共通の位置に配置された一系統Ｖの照明器具３ａが同時にオン・オフされることになる。
【００１７】
それぞれのリモコンリレー５ａ、５ｂ、５ｃ、５ｄは、リレー制御用ターミナルユニット７に接続され、このリレー制御用ターミナルユニット７から入力される開閉制御信号によって、任意のもの同士が同時に作動制御されるようになっている。このリレー制御用ターミナルユニット７は、後述の伝送装置から送出されるデジタル化された点灯パターン信号を、アナログ制御信号へと変換して送出するＡ／Ｄ変換器として動作する。
【００１８】
照明装置１には、異なる点灯パターン信号を、段階的に送出するための複数（本例では３台）の伝送装置９ａ、９ｂ、９ｃが設けられている。これらの伝送装置９ａ、９ｂ、９ｃからは、必要最低照度の確保されるＳ−ｎ（本例ではｎ＝２と、ｎ＝１）台の照明器具３において、照度が必要最低照度まで低下した時に、照明器具３を順次１台毎にｎ台追加して最終的にＳ台一組の全灯を点灯させる点灯パターン信号が段階的に送出される。
【００１９】
即ち、第一の伝送装置９ａからは、４台中、２台の照明器具３を点灯させる点灯パターン信号が送出される。第二の伝送装置９ｂからは、４台中、３台の照明器具３を点灯させる点灯パターン信号が送出される。第三の伝送装置９ｃからは、４台全灯を点灯させる点灯パターン信号が送出される。
【００２０】
また、第一の伝送装置９ａと、第二の伝送装置９ｂには、プログラムタイマー装置１１が接続されている。プログラムタイマー装置１１は、伝送装置９ａ、９ｂのそれぞれに個々のものが接続されてもよく、或いはマルチ制御可能な１台のものをそれぞれの伝送装置９ａ、９ｂに接続してもよい。プログラムタイマー装置１１は、Ｓ台の照明器具３の内、消灯状態にある照明器具３を順次交代させるローテーション切替え信号を伝送装置９ａ、９ｂへ送出する。このローテーション切替え信号は、Ｓ−ｎ台の照明器具３を必要最低照度まで点灯させたときの時間がＴであるとき、Ｓ台の個々の照明器具３の点灯時間が｛（Ｓ−ｎ）／Ｓ｝×Ｔとなるよう時間割を行う信号となる。
【００２１】
プログラムタイマー装置１１から送出されるローテーション切替え信号は、接点Ｔ／Ｕ１３を介してデジタル信号へ変換され、それぞれの伝送装置９ａ、９ｂに入力される。また、プログラムタイマー装置１１と接点Ｔ／Ｕ１３との間には、リレー接点１５が設けられている。このリレー接点１５を有するリレー１７には、接点Ｔ／Ｕ１９を介してそれぞれの伝送装置９ａ、９ｂが接続されている。リレー１７には、伝送装置９ａ、９ｂから送出された接点開閉信号が、接点Ｔ／Ｕ１９によってデジタル信号からアナログ信号に変換されて入力されるようになっている。
【００２２】
これら三つの伝送装置９ａ、９ｂ、９ｃは、手動によるロータリースイッチ等の切替えスイッチ２１によって、上記リレー制御用ターミナルユニット７へ、選択的に一つが切替え接続されるようになっている。図１の例では、伝送装置９ｂがリレー制御用ターミナルユニット７へ接続されている状態を示している。
【００２３】
また、リレー制御用ターミナルユニット７には、オンスイッチ及びオフスイッチを備えた手元スイッチ２３が接続されている。切替えスイッチ２１が、例えば伝送装置９ｃに接続されている場合、手元スイッチ２３のオンスイッチが閉じられると、このアナログ信号がリレー制御用ターミナルユニット７によってデジタル信号に変換され、伝送装置９ｃへ入力される。これにより、伝送装置９ｃは、手元スイッチ２３がオン操作されたことを検出し、リレー制御用ターミナルユニット７へ、全てのリモコンリレー５ａ、５ｂ、５ｃ、５ｄをオンする制御信号を送出する。同様に、切替えスイッチ２１が伝送装置９ａ又は９ｂに接続されている場合においても、手元スイッチ２３からのオン・オフ信号は同様に処理される。
【００２４】
切替えスイッチ２１は、このように、伝送装置９ａ、９ｂ、９ｃを選択的にリレー制御用ターミナルユニット７に接続することで、異なる点灯パターン信号で４台の照明器具３を点灯させる段階切替えを可能にしている。なお、ここで言う点灯パターンとは、第一の点灯パターンが２台点灯、第二の点灯パターンが３台点灯、第三の点灯パターンが４台点灯を言うものとする。
【００２５】
一方、伝送装置９ａ、９ｂの場合のように、４台の内、ｎ台が消灯される場合には、４台の照明器具３の点灯時間が等しくなるように、消灯状態にある照明器具３を順次交代させるローテーション切替え信号が送出される。このローテーション切替え信号は、上記のプログラムタイマー装置１１から送出される。
【００２６】
４台の照明器具中、２台を消灯するローテーションの場合には、例えば２４時間を１サイクルとすると、図４中の２台ローテーションに示す１２時間おきの２回の切替えが行われ、図３（ａ）に示すように、直交する二つの対角線上にそれぞれに位置する一対の照明器具３同士が交互に点灯される。
【００２７】
一方、伝送装置９ｂにより、４台の照明器具中、１台が消灯される場合には、例えば２４時間を１サイクルとすると、図４中の３台ローテーションに示す６時間おきの４回の切替えが行われる。この場合、点灯パターン信号は、図３（ｂ）に示すように、消灯される照明器具３が順次異なる位置となる四つのパターンに分けられる。このように、４台一組の照明器具３が、１台消灯されて照度が確保され、この状態でＴ＝２０００時間点灯されて必要最低照度まで照度が低下する場合、上記の式｛（Ｓ−ｎ）／Ｓ｝×Ｔから、｛（４−１）／４｝×２０００＝１５００となり、一つの照明器具３の点灯時間が１５００時間となるように、消灯状態にある照明器具３が順次交代される。
【００２８】
なお、上記の切替えスイッチ２１は、管理人室等に設けられ、切替時期は、シミュレーションによって想定され、煩雑な操作とならない（年に１〜２回程度の操作となる）ため、照明装置１を複雑としないためにも、手動スイッチの採用が好ましい。
【００２９】
また、切替えスイッチ２１を自動化するには、施設に設けられた中央監視盤等を利用することが好ましい。例えば、パルス発信機付き電力計を電灯幹線に取付け、使用した電力量を中央監視盤に出力し、逆算した使用時間がシミュレーションの値と一致するように切替え制御を行うようにする。これによれば、使用電灯電力に応じ、高精度に自動切替えを行うことができる。
【００３０】
また、図４に示すタイマー回路viiは、図３（ｂ）に示すローテーション時に、照明器具点灯直後の低照度を改善するための制御として採用されている。即ち、ローテーション切替え時、消灯対象となる照明器具３を消灯する前に、いままで消灯していた照明器具３を予め点灯させ、所定の照度となったときに、消灯対象となる照明器具３を消灯する制御を行うためのものである。これにより、ローテーション切替え直後に、３台中、１台が点灯初期状態であることによる照度低下が是正されることになる。
【００３１】
次に、シミュレーションにより従来の照明器具の点灯方法と、本発明に係る照明装置１を用いた照明器具の点灯方法とを説明する。図５は４台全点灯のみを行った場合の照度と交換時期の相関を表すグラフ、図６は３台ローテーションと４台全点灯を行った場合の照度と交換時期の相関を表すグラフ、図７は２台ローテーションと３台ローテーションと４台全点灯を行った場合の照度と交換時期の相関を表すグラフである。
【００３２】
【表２】
2007329139.tif 000004
【００３３】
先ず、表２に示すように、従来例（Ａ案）では、必要最低照度３５０ルクスを確保するために、４台全点灯が行われる。ここで使用される照明器具３の寿命は、９０００時間、ランプ交換時間は９０００時間、４００Ｗ当たりの電力量は３６００ｋＷ・ｈ、平均電力は４００Ｗとなる。従って、表２の４台全点灯欄の下方に記すように、この点灯方法では、寿命が、９０００時間、ランプ交換時間が９０００時間、４００Ｗ当たりの電力量が３６００ｋＷ・ｈと、個々の照明器具３のそのままの性能となり、照度とランプ交換時間との相関は、図５に示すようになる。この場合、初期照度が７０１ルクスとなり、必要最低照度３５０ルクスを大幅に上回る。
【００３４】
【表３】
2007329139.tif 000005
【００３５】
一方、本発明に係る点灯方法の一例として、例えば３台ローテーションと、４台全点灯を行う場合（Ｂ案）を表３に示す。この点灯方法では、先ず、図３（ｂ）に示すように、３台ローテーションにより、３台の照明器具３が点灯され、初期照度が５２５ルクスに抑えられることになる。この３台点灯では、単体使用時間が３７５０時間を経過することにより、照度が必要最低照度近傍の３５２ルクスまで低下する。従って、この時点で、図３（ｃ）に示す４台全点灯へと段階切替えが行われる。単体使用時間が３７５０時間を経過した照明器具３の場合、４台全点灯とすることで、４７０ルクスの照度が確保されることになる。この４台全点灯の状態で、単体使用時間が９０００時間となるまで使用されることになる。
【００３６】
ランプ交換時間は、３台ローテーション時で５０００時間であり、４台全点灯時で５２５０時間であることから、その総和の１０２５０時間となる。また、照度とランプ交換時間との相関は、図６に示すようになる。従って、Ａ案に比べて１台が消灯されることにより、平均電力が３５１ｋＷとなる。
【００３７】
【表４】
2007329139.tif 000006
【００３８】
さらに、本発明に係る点灯方法の他の例として、必要最低照度３５０ルクスを多少下回ることが容認されれば（例えば、３１０ルクス程度）、表４に示すように、２台点灯をさらにローテーションに組み込むこと（Ｃ案）が可能となる。この点灯方法では、先ず、図３（ａ）に示す２台ローテーションにより、２台の照明器具３が点灯され、初期照度が３５０ルクスに抑えられることになる。この２台点灯では、単体使用時間が１０００時間を経過することにより、照度が３１０ルクスまで低下する。この時点で、図３（ｂ）に示す３台全点灯へと段階切替えが行われる。単体使用時間が１０００時間を経過した照明器具３の場合、３台全点灯とすることで、４６５ルクスの照度が確保されることになる。この３台全点灯の状態で、単体使用時間が５４００時間を経過することにより、照度が３１０ルクスまで低下する。この時点で、図３（ｃ）に示す４台全点灯へと段階切替えが行われる。単体使用時間が５４００時間を経過した照明器具３の場合、４台全点灯とすることで、４１４ルクスの照度が確保されることになる。この４台全点灯の状態で、単体使用時間が９０００時間となるまで使用されることになる。
【００３９】
ランプ交換時間は、２台ローテーション時で２０００時間であり、３台ローテーション時で５８６７時間であり、４台全点灯時で３６００時間であることから、その総和の１１４６７時間となる。また、照度とランプ交換時間との相関は、図７に示すようになる。従って、Ａ案に比べて２台が消灯可能になることにより、平均電力が３１４ｋＷとなる。
【００４０】
この結果、下表５に示すように、ランプ交換時間が、Ａ案では９０００時間、Ｂ案では１０２５０時間（１２５０時間延長）、Ｃ案では１１４６７時間（２４６７時間延長）に延長されることが分かる。また、平均電力が、メタルハライドランプ１台、４００Ｗに対し、Ａ案では４００Ｗ、Ｂ案では３５１（１２．５％の省エネ）、Ｃ案では３１４Ｗ（２１．３％の省エネ）となることが分かる。そして、Ｂ案、Ｃ案の順でイニシャルコストは高くなるが、ランニングコストは逆に低くなり、Ｃ案の場合では１．５年でイニシャルコストのアップ分が回収可能となる。
【００４１】
【表５】
2007329139.tif 000007
【００４２】
上記の照明装置１を用いた照明器具の点灯方法によれば、高い照度の確保される初期照度時には、Ｓ台一組の照明器具のうち同時点灯される照明器具３が、必要最低照度の確保される数Ｓ−ｎ台まで減らして点灯される。従って、この状態では、従来、点灯されたｎ台の照明器具３が消灯状態にあり、その分、過剰な照度が低減され、且つ省エネが図られる。そして、Ｓ−ｎ台の照明器具３の照度が点灯時間の経過と共に必要最低照度まで低下した時には、Ｓ−ｎ＋１台での点灯が行われ、必要最低照度が確保される。以降同様に、照明器具３の照度が必要最低照度まで低下した時には、照明器具３が順次１台毎にｎ台まで追加され、最終的にＳ台一組の全灯が点灯される。これにより、初期照度時にＳ台全灯が点灯されることによる眩しさや不必要な電力消費が防止され、且つ必要最低照度が常に確保（即ち、初期照度補正）されることになる。そして、照明器具３を連続使用する場合に比べて寿命を遅らせることができ、照明器具交換時期を延長させることができる。
【００４３】
また、Ｓ−ｎ台の照明器具３が、Ｔ時間点灯されて必要最低照度まで照度が低下する間、Ｓ台の個々の照明器具３の点灯時間が｛（Ｓ−ｎ）／Ｓ｝×Ｔとなるように、Ｓ台の照明器具３の内、消灯状態にある照明器具３が順次交代される。これにより、Ｓ台一組の照明器具３のそれぞれが均等な点灯時間となる。例えば、４台一組の照明器具が、３台点灯されて照度が確保され、この状態でＴ＝２０００時間点灯されて必要最低照度まで照度が低下する場合、｛（４−１）／４｝×２０００＝１５００となり、一つの照明器具３の点灯時間が１５００時間となるように、消灯状態にある照明器具が順次交代される。これにより、照明器具３の寿命が均一化され、メンテナンス時の一斉交換を実現させることができる。
【００４４】
さらに、上記の実施の形態では、４台の照明器具３が、直交する対角線上のそれぞれに、交点から等距離で一対ずつ配置される。つまり、４台の照明器具３が、正方形のそれぞれの角部に配置される。そして、同様に配列された４台一組の照明器具３が、縦横に連続して配列される。従って、消灯される照明器具３の数ｎが１又は２の場合であっても、照明器具全体配列の中で、隣接する二つの照明器具３が連続して消灯されることを回避することが可能になる。これにより、均等な配光分布を可能にすることができる。
【図面の簡単な説明】
【００４５】
【図１】本発明に係る照明装置の概略の構成を表すブロック図である。
【図２】照明器具群の系統分け例を示すブロック図である。
【図３】図２における系統分け例のローテーション切替え例及び段階切替え例を表す説明図である。
【図４】図３に示したローテーション切替えの具体例を示すタイムチャートである。
【図５】４台全点灯のみを行った場合の照度と交換時期の相関を表すグラフである。
【図６】３台ローテーションと４台全点灯を行った場合の照度と交換時期の相関を表すグラフである。
【図７】２台ローテーションと３台ローテーションと４台全点灯を行った場合の照度と交換時期の相関を表すグラフである。
【図８】メタルハライドランプの光束維持率と使用時間の関係を表すグラフである。
【符号の説明】
【００４６】
１…照明装置、３…照明器具、５ａ、５ｂ、５ｃ、５ｄ…リモコンリレー（継電器）、７…リレー制御用ターミナルユニット、９ａ、９ｂ、９ｃ…伝送装置、１１…プログラムタイマー装置、２１…切替えスイッチ
【図１】
2007329139.tif 000008
【図２】
2007329139.tif 000009
【図３】
2007329139.tif 000010
【図４】
2007329139.tif 000011
【図５】
2007329139.tif 000012
【図６】
2007329139.tif 000013
【図７】
2007329139.tif 000014
【図８】
2007329139.tif 000015